(57)【要約】【課題】一連の簡単な操作で、複数の利用価値の高いインデックスプリントを作成することができる画像記録装置及びインデックスプリントの作成方法並びにインデックスプリントの提供。【解決手段】インデックスプリント作成手段２５、２６を複数設け、表示画面作成手段２３で作成される各画面を用いて、一連の簡単な操作で写真用インデックスプリントや記録媒体用インデックスプリントなどの形態の異なる複数のインデックスプリントを一括して作成し作業性の向上を図る。また各々のサムネイル画像に対応するコマ画像を特定する付加情報を作成する付加情報作成手段２４を設け、複数のインデックスプリントで付加情報を関連付けることにより、インデックスプリント自体の利用価値を高める。更にインデックスプリントの作成に際して様々な条件を設定可能とし、取り扱いやすいインデックスプリントを提供する。【選択図】図３
2004312293.tif 000002
【特許請求の範囲】
【請求項１】
画像記録媒体に記録された画像を読み取って画像データとして得る画像入力手段と、入力された前記画像データを所定の画像処理により変換する画像変換手段と、前記画像変換手段で変換された画像を印画するためのプリント作成手段と、前記画像変換手段で変換された画像を前記画像記録媒体又は他の画像記録媒体に記録する画像記録手段とを少なくとも有する画像記録装置において、
前記画像記録装置で実行される複数の処理でそれぞれ利用される画像に基づいて作成されるサムネイル画像を配列したインデックスプリントを作成する、前記複数の処理に対応した複数のインデックスプリントを一括して作成することを特徴とする画像記録装置。
【請求項２】
前記複数のインデックスプリントの少なくとも１種類が、前記画像を印画するプリント作成処理に付随して作成されるものであり、前記複数のインデックスプリントの他の少なくとも１種類が、前記画像を画像記録媒体に記録する記録処理に付随して作成されるものであることを特徴とする請求項１記載の画像記録装置。
【請求項３】
前記サムネイル画像の基となる前記画像を特定する情報を作成する手段を備え、前記複数のインデックスプリントは、同一の前記画像に基づいて作成される前記サムネイル画像には、同一又は互いに関連付けられた前記情報が付加されることを特徴とする請求項１又は２に記載の画像記録装置。
【請求項４】
前記プリント作成処理に付随して作成される前記インデックスプリントのサムネイル画像は、印画される前記画像を解像度変換したものであることを特徴とする請求項１乃至３のいずれか一に記載の画像記録装置。
【請求項５】
前記記録処理に付随して作成される前記インデックスプリントのサムネイル画像は、前記画像記録媒体に記録される前記画像を解像度変換したものであることを特徴とする請求項１乃至３のいずれか一に記載の画像記録装置。
【請求項６】
画像記録媒体に記録された画像を読み取って画像データとして得る画像入力手段と、入力された前記画像データを所定の画像処理により変換する画像変換手段と、前記画像変換手段で変換された画像を印画するためのプリント作成手段と、前記画像変換手段で変換された画像を前記画像記録媒体又は他の画像記録媒体に記録する画像記録手段とを少なくとも有する画像記録装置におけるインデックスプリントの作成方法であって、
前記画像記録装置で実行される複数の処理の各々に対して、前記各々の処理で利用される画像に基づいたサムネイル画像を作成し、該サムネイル画像を配列した複数のインデックスプリントを一括して作成することを特徴とするインデックスプリントの作成方法。
【請求項７】
前記複数のインデックスプリントの少なくとも１種類が、前記画像を印画するプリント作成処理に付随して作成されるものであり、前記複数のインデックスプリントの他の少なくとも１種類が、前記画像を画像記録媒体に記録する記録処理に付随して作成されるものであることを特徴とする請求項６記載のインデックスプリントの作成方法。
【請求項８】
前記画像を前記画像記録媒体に記録する記録処理と、該記録処理に付随して前記インデックスプリントを作成する処理とを同時に実行することを特徴とする請求項６又は７に記載のインデックスプリントの作成方法。
【請求項９】
前記複数のインデックスプリントを作成するに際し、前記サムネイル画像の基となる前記画像を特定する情報を作成し、同一の前記画像に基づいて作成される前記サムネイル画像には、同一又は互いに関連付けられた前記情報を付加することを特徴とする請求項６乃至８のいずれか一に記載のインデックスプリントの作成方法。
【請求項１０】
前記プリント作成処理に付随して作成される前記インデックスプリントのサムネイル画像は、印画される前記画像を解像度変換したものであることを特徴とする請求項６乃至９のいずれか一に記載のインデックスプリントの作成方法。
【請求項１１】
前記記録処理に付随して作成される前記インデックスプリントのサムネイル画像は、前記画像記録媒体に記録される前記画像を解像度変換したものであることを特徴とする請求項６乃至９のいずれか一に記載のインデックスプリントの作成方法。
【請求項１２】
写真フィルムを読み取って得られる画像又はデジタルカメラで撮影して得られた画像に基づいて作成されたサムネイル画像を配列した複数のインデックスプリントであって、
前記複数のインデックスプリントは、同一の前記画像に基づいて作成される前記サムネイル画像には、同一又は互いに関連付けられた情報が付加されることを特徴とするインデックスプリント。
【請求項１３】
前記複数のインデックスプリントの少なくとも１種類が、前記画像を印画するプリント作成処理に付随して作成されるものであり、前記複数のインデックスプリントの他の少なくとも１種類が、前記画像を画像記録媒体に記録する記録処理に付随して作成されるものであることを特徴とする請求項１２記載のインデックスプリント。
【請求項１４】
前記プリント作成処理に付随して作成される前記インデックスプリントに、前記画像が記録された前記写真フィルムを格納する手段を備えることを特徴とする請求項１２又は１３に記載のインデックスプリント。
【請求項１５】
前記記録処理に付随して作成される前記インデックスプリントに、前記画像記録媒体本体に記録された識別情報と同一又は互いに関連付けられた識別情報が記録されることを特徴とする請求項１２又は１３に記載のインデックスプリント。
【発明の詳細な説明】
【０００１】
【発明の属する技術分野】
本発明は、画像記録装置及びインデックスプリントの作成方法並びにインデックスプリントに関し、特に、写真フィルムやデジタルカメラ等の複数の入力手段の画像を基にインデックスプリントを作成する画像記録装置及びインデックスプリントの作成方法並びにインデックスプリントに関する。
【０００２】
【従来の技術】
写真フィルム上の原画を印画紙にプリントする同時プリントサービス時に、その写真フィルム上の原画をデジタイズ処理してＣＤ−Ｒ等の記録媒体に同時に保存するサービスや、デジタルカメラに装着される記録媒体内の画像データをＣＤ−Ｒ等の別の記録媒体に保存したり、バックアップするサービス（以下、ＣＤ−Ｒ書き込みサービスと呼ぶ。）が一般化されつつある。
【０００３】
また、同時プリントサービスに際して、写真フィルム上に記録された画像をサムネイル画像（縮小画像）として配列したインデックスプリントを提供するサービスも行われている。このインデックスプリントは写真フィルムに記録されている画像を一見して確認できることから、再度、写真プリントを注文する場合や写真を整理する場合などに活用される。
【０００４】
上記インデックスプリントを作成するサービスはＣＤ−Ｒ書き込みサービスに付随して行われることもあり、例えば、同時プリントサービスで作成されるインデックスプリントのテンプレートにＣＤ−Ｒに書き込む画像を縮小してはめ込んでＣＤ−Ｒ用のインデックスプリントが作成される。しかしながら、この方法で作成されたインデックスプリントはＣＤ−Ｒのサイズと合致しないため商品としての一体性に難があることから、ＣＤ−Ｒのレーベル面（ＣＤ−Ｒのデータ書き込み面と反対側の面）に直接、サムネイル画像を焼き付けるサービスや、記録媒体の形状に合わせたテンプレートを用いてインデックスプリントを作成するサービスも提案されている。
【０００５】
例えば、特開２００２−３７２７５５号公報には、画像形成媒体から取得された複数の原画像データを記憶する第１記憶部と、インデックス画像を作成するためのテンプレートを記憶する第２記憶部と、複数の原画像データの各サムネイル画像データとテンプレートとを画像合成してインデックス画像データを作成するインデックス画像データ作成部と、原画像データと共にインデックス画像データを記録媒体に書き込む書き込み手段とを備えた記録媒体書き込み装置が提案されており、記録媒体に記録されたインデックス画像データを用いてユーザ自身でＣＤ−Ｒ用のインデックスプリントを作成することができる。
【０００６】
【特許文献１】
特開２００２−３７２７５５号公報（第３−５頁、第２図）
【０００７】
【発明が解決しようとする課題】
このように、インデックスプリントは同時プリントサービスやＣＤ−Ｒ書き込みサービスに付随して行われているが、ＣＤ−Ｒのレーベル面にサムネイル画像を印画する方法では書き込むコマ数が限られ、また、記録媒体にインデックス画像データを書き込む方法では、ユーザ自身がインデックスプリントを作成しなければならず、高精細なインデックスプリントを作成することができない。
【０００８】
また、写真フィルムに記録された画像を表示するインデックスプリントと記録媒体に記録する画像を表示するインデックスプリントとは独立したものであり、同時プリントサービス又はＣＤ−Ｒ書き込みサービス利用時に別々に作成しなければならないため、フィルムを２度スキャンする必要がある等、作業の効率が悪いという問題があった。
【０００９】
また、各々独立した注文で作成される複数のインデックスプリントは互いに相関がないため、例えば、写真用のインデックスプリントのサムネイル画像とＣＤ−Ｒ用のインデックスプリントのサムネイル画像との対応関係が分かりづらく、各種サービスを利用するユーザにとっては複数のインデックスプリントを作成してもこれらを効果的に利用することができない。更に、従来の装置や方法では、インデックスプリントの作成に際して様々な条件を設定することができなため、取り扱いやすいインデックスプリントを提供することができないという問題もある。
【００１０】
本発明は、上記問題点に鑑みてなされたものであって、その主たる目的は、一連の簡単な操作で、複数の形態の利用価値の高いインデックスプリントを作成することができる画像記録装置及びインデックスプリントの作成方法並びに該方法で作成されたインデックスプリントを提供することにある。
【００１１】
【問題を解決するための手段】
上記目的を達成するため、本発明の画像記録装置は、画像記録媒体に記録された画像を読み取って画像データとして得る画像入力手段と、入力された前記画像データを所定の画像処理により変換する画像変換手段と、前記画像変換手段で変換された画像を印画するためのプリント作成手段と、前記画像変換手段で変換された画像を前記画像記録媒体又は他の画像記録媒体に記録する画像記録手段とを少なくとも有する画像記録装置において、前記画像記録装置で実行される複数の処理でそれぞれ利用される画像に基づいて作成されるサムネイル画像を配列したインデックスプリントを作成する、前記複数の処理に対応した複数のインデックスプリントを一括して作成するものである。
【００１２】
本発明においては、前記複数のインデックスプリントの少なくとも１種類が、前記画像を印画するプリント作成処理に付随して作成されるものであり、前記複数のインデックスプリントの他の少なくとも１種類が、前記画像を画像記録媒体に記録する記録処理に付随して作成されるものである構成とすることができる。
【００１３】
また、本発明においては、前記サムネイル画像の基となる前記画像を特定する情報を作成する手段を備え、前記複数のインデックスプリントは、同一の前記画像に基づいて作成される前記サムネイル画像には、同一又は互いに関連付けられた前記情報が付加される構成とすることもできる。
【００１４】
また、本発明においては、前記プリント作成処理に付随して作成される前記インデックスプリントのサムネイル画像は、印画される前記画像を解像度変換したものとし、前記記録処理に付随して作成される前記インデックスプリントのサムネイル画像は、前記画像記録媒体に記録される前記画像を解像度変換したものとすることができる。
【００１５】
また、本発明の方法は、画像記録媒体に記録された画像を読み取って画像データとして得る画像入力手段と、入力された前記画像データを所定の画像処理により変換する画像変換手段と、前記画像変換手段で変換された画像を印画するためのプリント作成手段と、前記画像変換手段で変換された画像を前記画像記録媒体又は他の画像記録媒体に記録する画像記録手段とを少なくとも有する画像記録装置におけるインデックスプリントの作成方法であって、前記画像記録装置で実行される複数の処理の各々に対して、前記各々の処理で利用される画像に基づいたサムネイル画像を作成し、該サムネイル画像を配列した複数のインデックスプリントを一括して作成するものである。
【００１６】
また、本発明のインデックスプリントは、写真フィルムを読み取って得られる画像又はデジタルカメラで撮影して得られた画像に基づいて作成されたサムネイル画像を配列した複数のインデックスプリントであって、前記複数のインデックスプリントは、同一の前記画像に基づいて作成される前記サムネイル画像には、同一又は互いに関連付けられた前記情報が付加されているものである。
【００１７】
このように、本発明の画像記録装置では、インデックスプリントの作成指示や作成条件を設定できる画面を簡単な操作で表示させることができ、この画面に従って設定するだけで、写真フィルムに記録された画像情報を表示するインデックスプリントやＣＤ−Ｒに書き込む画像データを表示するインデックスプリントなどの形態の異なる複数のインデックスプリントを一括して作成することができるため、従来のように、複数のインデックスプリントを作成するために再度、写真フィルムを読み取ったり、画像データを取り込む必要がなくなり、作業性を向上させることができる。
【００１８】
また、各々のインデックスプリントの作成に際して、インデックスプリントのサイズやレイアウト等を設定することができ、また、写真プリントの画像や記録媒体に記録する画像と一致した画像データでインデックスプリントを作成することができ、ユーザの好みに応じた扱いやすいインデックスプリントを提供することができる。
【００１９】
更に、各々のインデックスプリントのサムネイル画像には、画像を特定する付加情報が記録されており、また、その付加情報が複数のインデックスプリントで関連付けられているため、複数のインデックスプリントを組み合わせて利用することができ、別個独立したインデックスプリントに比べてインデックスプリント自体の利用価値を高めることができる。
【００２０】
【発明の実施の形態】
従来技術で説明したように、写真フィルムから読み取った画像情報やデジタルカメラで取得した画像データをＣＤ−Ｒ等の画像記録媒体に保存するサービスが普及しており、各々のサービスにおいてサムネイル画像を配列したインデックスプリントを提供するサービスも行われているが、これらのインデックスプリントは互いに独立した注文で作成されるために、作業の効率が悪く不便であった。
【００２１】
この問題は、インデックスプリントの作成が各々のサービスに付随して独自に行われることに起因しているが、インデックスプリントは単に所定のサービスで使用された画像を一覧表示するのみならず、各種サービスで利用した画像を互いに関連付けて整理する手段としても有用であり、特に画像データを様々な形態で利用するユーザが増加している今日では、幅広く利用することができるインデックスプリントを簡単に入手できるようなシステムを構築する必要がある。
【００２２】
そこで、本発明では、写真フィルムの現像、読み取り、プリント作成、記録媒体への記録等の多様な機能を備えた画像記録装置を用いて、一連の簡単な操作で写真フィルムに記録された画像情報を表示するインデックスプリントやＣＤ−Ｒに書き込む画像データを表示するインデックスプリントなどの形態の異なる複数のインデックスプリントを一括して作成できるように構成し、作業性の向上を図っている。また、サムネイル画像を単に配列するのみならず、各々のコマ画像を特定する付加情報を記録し、かつ、複数のインデックスプリントでこの付加情報を関連付けることにより、インデックスプリント自体の利用価値を高めている。更に、インデックスプリントの作成に際して様々な条件を設定できるようにしてユーザが取り扱いやすいインデックスプリントを提供している。
【００２３】
【実施例】
上記した本発明の実施の形態についてさらに詳細に説明すべく、本発明の一実施例に係る画像記録装置を用いたインデックスプリントの具体的な作成方法について、図１乃至図１５を参照して説明する。図１は、本発明の一実施例に係る画像記録装置の構造を示す外観図であり、図２は、その構成を示すブロック図である。また、図３は、本実施例の画像記録装置におけるインデックスプリントの作成に関する手段を抽出したブロック図であり、図４及び図５は、本実施例のインデックスプリントの作成手順を示すフローチャート図である。また、図６乃至図１１は、本実施例の画像記録装置の表示部に表示される画面構成例を示す図であり、図１２乃至図１５は、本実施例の画像記録装置で作成されるインデックスプリントの構成を示す図である。
【００２４】
図１及び図２に示すように、本実施例の画像記録装置１は、様々な画像入力手段を用いて取り込んだ画像データをＣＤ−Ｒ等の画像記録媒体に記録する画像記録部２と、写真フィルムを現像し、画像データを印画紙に焼き付けて写真プリントを作成するプリント作成部３とから構成され、これらが相互に接続され、画像記録部２からプリント作成部３の制御が可能な構成となっている。
【００２５】
画像記録部２は、現像済みの写真フィルム１６から画像情報を読み取るフィルムスキャナ部４、写真プリント１７などの原稿から画像情報を読み取る反射原稿入力装置５、デジタルカメラ１９やカメラ付き携帯電話機などの写真撮影機能を備えた撮影機器から画像データを読み取り、また、スマートメディア、コンパクトフラッシュ（登録商標）、メモリースティック（登録商標）、ＳＤメモリーカード、マルチメディアカード等の撮影機器用の画像記録媒体（以下、入力用画像記録媒体１８と呼ぶ。）から画像データを読み取る画像読取部６等の画像入力手段と、読み取った画像データを表示したり、後述する各種画面を表示するＣＲＴ、液晶等の表示部８と、キーボード、タッチパネル、マウス等の操作部９と、読み取った画像データに画像処理を施したり、画像記録部２の動作を制御する制御部７と、読み取った画像データを所定の画像記録条件でＣＤ−Ｒ、ＤＶＤ−Ｒ、ＭＯ等の画像記録媒体（以下、出力用画像記録媒体２０と呼ぶ。）に記録する画像書込部１０と、複数のインデックスプリントのテンプレートや取り込んだ画像データを記憶する記憶部１１とを備えている。なお、図示しないが、画像入力手段として、インターネット（無線／有線を問わない）や赤外線等を用いた通信ネットワークを介して、他のコンピュータ端末やサーバから画像データを取り込む機能を備えていてもよい。
【００２６】
また、プリント作成部３は、マガジン装填部１５を備え、ネガフィルム、ポジフィルム等の感光材料を露光する露光処理部１３と、露光された感光材料を現像処理して乾燥し、印画紙に焼き付けて写真プリント２１やインデックスプリント２２を作成するプリント作成部１４と、これらの動作を制御する制御部１２と、図示しない表示部や操作部等を備え、プリント作成部３単独で露光、現像、プリント作成処理が可能であると共に、画像記録部２からの遠隔操作が可能となっている。
【００２７】
なお、本実施例では、画像記録部２とプリント作成部３とが別体として構成される画像記録装置１を例にして説明するが、画像記録部２とプリント作成部３とが一体となって構成された画像記録装置１を用いることもできる。
【００２８】
次に、本実施例の画像記録部２の制御部７の中でインデックスプリントの作成に関する部分の構成について図３を参照して説明する。制御部７には、表示部８で表示する各種画面（後述するホーム画面、インデックス設定画面、第１ポップアップ画面、第２ポップアップ画面、画像記録条件設定画面等）を作成し、操作部９のクリック動作に応じてこれらの画面を表示部８に表示させる表示画面作成手段２３と、記憶部１１に記憶されたテンプレートを参照して写真フィルムに記録された画像情報を表示するインデックスプリント（以下、写真用インデックスプリントと呼ぶ。）を作成する第１インデックスプリント作成手段２５と、記憶部１１に記憶されたテンプレートを参照してＣＤ−Ｒ等の記録媒体に書き込む画像データを表示するインデックスプリント（以下、記録媒体用インデックスプリントと呼ぶ。）を作成する第２インデックスプリント作成手段２６と、写真用インデックスプリントと記録媒体用インデックスプリントのサムネイル画像を関連付ける付加情報を作成する付加情報作成手段２４とを少なくとも備えている。なお、ここではインデックスプリント作成手段として、第１インデックスプリント作成手段２５と第２インデックスプリント作成手段２６の２つを設けているがインデックスプリント作成手段を複数備える構成であればよい。
【００２９】
上記構成の画像記録装置１を用いて、入力用画像記録媒体１８や写真フィルム１６から読み取った画像データを用いて複数のインデックスプリントを作成する手順について、図４及び図５のフローチャート図、図６乃至図１１の画面構成例、図１２乃至図１５のインデックスプリントの構成例を参照して説明する。
【００３０】
まず、ステップＳ１０１で、上記構成の画像記録部２を起動すると、ステップＳ１０２で、図６に示すような画像記録部２で行う処理を明示した基準画面（以下、ホーム画面２８と呼ぶ。）が表示される。このホーム画面２８には、例えば、プリント作成部３で露光処理、プリント作成処理が行われる写真フィルムに関して設定する項目が表示される露光／プリント条件設定欄２８ａ、プリント作成部３におけるプリント処理の状況を表示するプリント状況表示欄２８ｂ、作成するプリントやプリントに付加して実行される機能を設定する詳細設定欄２８ｃ、プリント作成部３のセットアップやメンテナンスを実行するプリント作成部操作欄２８ｄ等が表示される。
【００３１】
具体的には、例えば、露光／プリント条件設定欄２８ａには、フィルムの露光に際して使用するマスクを選択するフィルムマスク欄と、ネガ、ポジ、白黒等のフィルムの種類を設定するフィルム種欄と、プリントする方向を設定するプリント方向欄と、再度の焼き直しに関して設定する再焼き欄とが設けられ、また、詳細設定欄２８ｃには、設定された条件を表示するステータス欄と、Ｌ判、２Ｌ判等のプリントサイズを設定するプリントサイズ欄と、通常プリント、証明写真用プリント等のプリントサービスを設定するプリントサービス欄と、プリント作成に付随する機能や読み取った画像データを用いて実行可能な機能（以下、プリント付加機能と呼ぶ。）を設定するプリント付加機能欄と、カラー、白黒、セピア等の出力の種類を設定する出力種欄と、デジタルカメラ１９や入力用画像記録媒体１８等の画像データを入力する機器や媒体を設定する入力メディア欄とが設けられている。
【００３２】
次に、ステップＳ１０３で、ユーザは画像データの入力方法の選択を行う。例えば、画像記録部２にフィルムスキャナ部４が標準的に設けられている場合には、通常はフィルムスキャナ部４で読み取った画像データが入力され、他の入力方法を選択する場合には、ホーム画面２８の入力メディア欄の中から所望のボタン（例えば、デジタルカメラ１９や他の撮影機器から読み取る場合はデジタルカメラボタン、入力用画像記録媒体１８から読み取る場合はメディアボタン、写真プリント１７等の原稿から読み取る場合はフラットベッドボタン、記憶部１１に記憶されている画像データを用いる場合はストレージ画像ボタン、通信ネットワークで接続されている他のコンピュータ端末やサーバ等の画像データを用いる場合は外部ＰＣボタン等）を選択する。
【００３３】
次に、ステップＳ１０４で、取り込んだ画像データを用いて写真プリント２１を作成するかを否かを選択する。例えば、写真プリント２１を作成する場合には、ステップＳ１０５で、ホーム画面２８の詳細設定欄２８ｃ中のプリントサイズ欄、プリントサービス欄、出力種欄等を設定する。また、写真プリント２１を作成しない場合には、ホーム画面２８の詳細設定欄２８ｃのプリントサイズ欄でプリント無しを選択する。
【００３４】
次に、ステップＳ１０６で、プリント付加機能の選択を行う。本実施例の画像記録部２では、プリント付加機能として、例えば、読み取った画像データを縮小サイズで配列した写真用インデックスプリントを作成する機能（インデックスボタン）、写真フィルムの露光処理からプリント作成処理までを自動的に行う機能（オートボタン）、写真プリント２１を２枚ずつ作成する機能（ダブルボタン）、写真プリント２１の出来映えを確認するための試し焼機能（試し焼ボタン）、読み取った画像データを通信ネットワークで接続された他のコンピュータ端末に出力する機能（外部ＰＣボタン）、画像データをＣＤ−Ｒ等の出力用画像記録媒体２０に記録する機能（ＣＤ−Ｒボタン）等が設けられており、画像データを様々な形態で利用できるように構成されている。以下の説明では、上記プリント付加機能の中で写真用インデックスプリントの作成とＣＤ−Ｒへの記録機能を選択した場合について説明するが、他の機能を選択した場合についても、表示される画面の基本的な構成や操作方法は同様である。
【００３５】
まず、ユーザがマウス等の操作部９を操作してインデックスボタンを選択すると、ステップＳ１０７で、図７に示すようなインデックス設定画面２７が表示される。このインデックス設定画面２７では、複数の入力媒体毎に写真用インデックスプリントの作成条件が設定可能となっており、各々の設定画面には、例えば、縮小画像の配列を選択するレイアウト欄と、写真プリントが作成されなかったコマ画像（パスコマ画像）を印刷する否かを選択するパスコマ印刷欄と、インデックスプリントに日付情報を印字するか否かを選択する日付印字欄と、出力するプリンタを選択する出力プリンタ欄と、撮りっきりカメラのように撮影順序が異なる写真フィルムのコマ画像の配列を通常の写真フィルムと同様に並び替える並び替え欄と、写真の形態（例えば、標準、ハイビジョン、パノラマ等）を識別可能な情報を記載するか否かを選択するＣＨＰ表示欄と、インデックスプリントの出力サイズ（幅）を選択する出力サイズ欄と、インデックスプリントのプリント枚数を選択する枚数欄と、出力サイズ欄で設定した幅に対して設定可能なインデックスプリントの寸法を選択するインデックスプリントサイズ設定欄と、入力した条件を登録するボタンや入力項目をデフォルト値に設定するボタン等が表示される。そして、ステップＳ１０８で、ユーザはこれらの項目を選択してインデックスプリントの作成条件を設定した後、”戻る”ボタンや”ホーム”ボタン等をクリックしてホーム画面２８に戻る。
【００３６】
なお、従来の画像記録装置でも写真用インデックスプリントの作成は可能であったが、設定できる条件は限定的であり、ユーザが利用しやすい形態でインデックスプリントを作成することができなかったが、本実施例の画像記録装置１では、図７に示すように多数の条件を設定することができるため、ユーザ毎にカスタマイズされたインデックスプリントを作成することができ、写真用インデックスプリント自体の利用価値を高めることができる。
【００３７】
次に、ユーザがマウス等の操作部９を操作してポインタをＣＤ−Ｒボタン上に移動し右クリックすると、ステップＳ１０９で、図８に示すような第１ポップアップ画面２９が、ＣＤ−Ｒボタンとの対応が分かるようにホーム画面２８のＣＤ−Ｒボタンの一部と重なるように表示される。この第１ポップアップ画面２９には、選択したプリント付加機能で設定することができるメニューが一覧表示される。例えば、ＣＤ−Ｒボタンの場合は、予め登録された画像記録条件を選択する”サービス選択”と、複数のオーダーで読み込んだ（例えば、複数の写真フィルム１６から読み取った）画像データを１つのＣＤ−Ｒにまとめて書き込むかを選択する”まとめ書き”と、画像データを記録するＣＤ−Ｒの数を設定する”ＣＤ−Ｒ枚数”と、記録媒体用インデックスプリントの作成枚数を指定する”インデックスプリント枚数”と、記録媒体用インデックスプリントのサイズを指定する”インデックスプリントサイズ”と、ＣＤ−Ｒへの記録を開始する前に書き込む画像データを画面上に表示させるかを選択する”プレビュー表示”と、”サービス選択”で表示される画像記録条件の具体的項目を設定する”サービス設定”と、インデックスプリントに関する詳細な設定を行う”インデックス設定”とが表示される。
【００３８】
次に、ユーザはポインタを移動させて第１ポップアップ画面２９の中から所望のメニューを選択すると、ステップＳ１１０で、第１ポップアップ画面２９で選択されたメニューに対応して第２ポップアップ画面３０が表示される。例えば、図９に示すように、第１ポップアップ画面２９で”インデックスプリント枚数”を選択すると、インデックスプリントを作成する枚数が選択可能となり、図１０に示すように、第１ポップアップ画面２９で”インデックスサイズ”を選択すると、インデックスプリントのサイズを自動で設定するか好みのサイズに設定する等の選択が可能となる。また、第１ポップアップ画面２９で”インデックス設定”を選択すると、図７と同様に構成されたインデックス設定画面が表示され、記録媒体用インデックスプリントの作成条件を設定することができる。
【００３９】
なお、インデックスプリントの枚数やインデックスサイズ等の設定は画像記録条件設定画面でも可能である。例えば、第１ポップアップ画面２９で”サービス設定”を選択した場合には、図１１に示すような画像記録条件設定画面３１が表示される。この画像記録条件設定画面３１では、複数の画像記録条件（ここではサービス１〜１０の１０種類）が設定可能となっており、各々の設定画面には、例えば、サービスの名称を登録する呼称欄と、オーダー番号の付番方法を選択するオーダーＮｏ．欄と、スキャン解像度を選択する解像度欄と、記録される画像データを実際にプリントされる画像と同じ領域に設定するＢＬボーダーカット欄と、ＣＤ−Ｒに保存する際のフォルダ構成を選択する保存形式欄と、画像データの変換フォーマットを選択する画像フォーマット欄と、画像フォーマット欄でＪＰＥＧを選択した場合の圧縮率を選択するＪＰＥＧ圧縮率欄と、スキャン形式を選択するスキャン形式欄と、ＣＤ−Ｒの書き込み方式を選択するファイルシステム欄と、入力種がデジタルカメラ１９の入力用画像記録媒体１８である場合に、６コマでの回転、色補正、画像フォーマット変換等の画像加工を行うかを設定するデジカメ・メディア加工欄と、記録媒体に画像データと共にアプリケーションソフトを書き込む場合にソフトの選択やコピー先のフォルダ名を設定するバンドルソフト欄と、フォルダ構成に使用するファイルの名前を生成する際の形式を選択するファイル形式欄と、記録媒体用インデックスプリントのペーパー幅やインデックスプリントの枚数を指定するインデックスサイズ欄やインデックスプリント欄と、ＣＤ−Ｒの書き込み枚数を設定するＣＤＲ書き込み数欄と、プレビュー表示を行うかを設定するプレビュー表示欄等が表示される。そして、ステップＳ１１１で、上記ＣＤ−Ｒの書き込みや記録媒体用インデックスプリントの作成に関する項目を設定する。
【００４０】
このようにして、露光／プリント条件や写真プリントの作成条件、ＣＤ−Ｒの書き込み条件と共に、写真用インデックスプリントや記録媒体用インデックスプリントの作成条件を設定した後、フィルムスキャナ部４に写真フィルム１６を装填したり、画像読取部６に入力用記録媒体１８を装填したり、操作部９又は表示部８を用いて処理の実行を指示すると、定められた条件に従って順次処理が実行される。
【００４１】
例えば、ステップＳ１１２で、ホーム画面２８の露光／プリント条件設定欄２８ａや詳細設定欄２８ｃの入力メディア欄の設定に従って画像の取り込みが行われ、写真フィルム１６から画像を読み取る場合には、ステップＳ１１３で、プレジャッジが行われ写真フィルム１６の適否が判断される。次に、ステップＳ１１４で、詳細設定欄２８ｃのプリントサイズ欄を参照してプリント作成が指定されているか否かを判断し、プリント作成が指定されている場合は、ステップＳ１１５で、詳細設定欄２８ｃのプリントサイズ欄やプリントサービス欄、出力種欄の設定に従ってプリントの焼き付けが行われる。
【００４２】
次に、ステップＳ１１６で、詳細設定欄２８ｃのインデックスプリントボタンが選択されているかを参照して、写真用インデックスプリントを作成するか否かを判断し、選択されている場合には、ステップＳ１１７で、インデックス設定画面２７の設定に従い、第１インデックス作成手段２５を用いて、例えば、図１２に示すような写真用インデックスプリント３２の焼き付けが行われる。
【００４３】
この写真用インデックスプリント３２には、例えば、写真フィルム１６に記録されたコマ画像を解像度変換したサムネイル画像３２ａが配列して表示され、各々のサムネイル画像３２ａには、写真フィルム１６のコマ画像番号や所定のルールに従って付与された番号などの付加情報作成手段２４で作成された付加情報３２ｂが表示され、各々のサムネイル画像３２ａが特定可能になっている。また、写真用インデックスプリント３２を特定するインデックス識別情報３２ｃや写真用インデックスプリント３２を作成した日時情報３２ｄ等が表示され、ユーザが利用しやすいように工夫されている。なお、図１２は例示であり、写真用インデックスプリント３２の画像変換条件、サイズ、サムネイル画像３２ａのサイズ、配列、サムネイル画像３２と共に表示する情報等は任意に設定することができる。また、所定のコマ画像を用いて作成した写真プリント２１とサムネイル画像３２ａとは同じ画像としてもよいし異なる画像変換を行ってもよいが、同じ画像を表示した場合には、写真用インデックスプリント３２を用いて再度写真プリントを注文する場合に注文ミスがなくなるという効果が得られる。
【００４４】
また、図１２の写真用インデックスプリント３２には、インデックス識別情報３２ｃが記載されているが、多数の写真フィルム１６を用いて多数の写真用インデックスプリント３２を作成する場合に、その対応関係が分からなくなること考えられる。その場合には、例えば、図１４に示すように、写真用インデックスプリント３２に写真フィルム１６を収納する写真フィルム収納部３２ｅを設け、写真用インデックスプリント３２と写真フィルム１６とを一体として保存できるように構成することもできる。
【００４５】
次に、ステップＳ１１８で、詳細設定欄２８ｃのＣＤ−Ｒボタンが選択されているかを参照して、ＣＤ−Ｒに画像データを書き込むか否かを判断し、ＣＤ−Ｒに書き込みを行う場合には、ステップＳ１１９で、第１ポップアップ画面２９の”サービス選択”や画像記録条件設定画面３１の設定に従って、選択した画像データをＣＤ−Ｒ等の出力用画像記録媒体２０に書き込む。
【００４６】
次に、ステップＳ１２０で、第１ポップアップ画面２９や画像記録条件設定画面３１のインデックスプリント枚数欄やインデックスサイズ欄を参照して記録媒体用インデックスプリントを作成するか否かを判断し、作成する場合には、ステップＳ１２１で上記項目の設定に従い、第２インデックス作成手段２６を用いて、例えば、図１３に示すような記録媒体用インデックスプリント３３の焼き付けが行われる。
【００４７】
この記録媒体用インデックスプリント３３は、例えば、ＣＤ−Ｒに記録されるコマ画像を解像度変換したサムネイル画像３３ａとして配列して表示され、各々のサムネイル画像３３ａには、コマ画像を特定特定する付加情報が表示され、また、記録媒体用インデックスプリント３３を特定するインデックス識別情報３３ｃや画像データの書き込みが行われた日時情報３３ｄが表示される。なお、図１３の構成も例示であり、記録媒体用インデックスプリント３３のサイズ、サムネイル画像３３ａの画像変換条件、サイズ、配列、サムネイル画像３３ａと共に記録する情報等は任意に設定することができ、例えば、ＭＯに画像データを記録する場合にはＭＯのサイズに合わせた記録媒体用インデックスプリント３３を作成することもできる。また、ＣＤ−Ｒのレーベル面にもインデックス識別情報３３ｃ又はこれに対応する情報を記載すれば、記録媒体用インデックスプリント３３とＣＤ−Ｒとの対応関係を明確にすることができる。また、写真用インデックスプリントと同様に、記録媒体に記録した画像とサムネイル画像３３ａとは同じ画像としてもよいし異なる画像変換を行ってもよいが、同じ画像を表示した場合には、記録媒体用インデックスプリント３３を用いてサービスを利用する場合に注文ミスがなくなるという効果が得られる。
【００４８】
ここで、従来の記録媒体用インデックスプリントにも各々のサムネイル画像にコマ画像を特定する付加情報が記載されている場合もあるが、複数のインデックスプリント間で付加情報は統一されておらず、例えば、写真フィルム１６のどのコマ画像がＣＤ−Ｒに書き込まれたかなどを識別することができなかった。これに対して、本実施例の画像記録装置１では、付加情報作成手段２４で写真用インデックスプリント３２及び記録媒体用インデックスプリント３３の付加情報が対応付けられ、同一の名称又は関連付けされた名称が各々のサムネイル画像に対応して記載されるため、例えば、ユーザは記録媒体用インデックスプリント３３を見ただけで、写真フィルム１６のどのコマ画像がＣＤ−Ｒに記録されているか等を簡単に判別することができる。
【００４９】
また、写真用インデックスプリント３２と記録媒体用インデックスプリント３３との対応関係をより明確にするために、例えば、図１５に示すように、写真用インデックスプリント３２のサムネイル画像３２ａに付加する情報として、ＣＤ−Ｒに記録されたコマ画像を識別可能な情報（例えば、文字やマーカー等）を表示したり、逆に、記録媒体用インデックスプリント３３に写真プリント２１が作成されたコマ画像を識別可能な表示をすることもできる。この図１５の関連付け情報は例示であり、所定の文字を付加情報に挿入したり、付加情報の前に所定のマーカーを表示したり、対応するサムネイル画像に枠を追加する等、任意の構成とすることができる。このように写真用インデックスプリント３２と記録媒体用インデックスプリント３３とを関連付けることにより、各々のインデックスプリントの利用価値を高め、ユーザに扱いやすいインデックスプリントを提供することができる。
【００５０】
なお、図５では便宜上、各処理を時系列で示したが、プリント２１の焼き付け、写真用インデックスプリント３２の焼き付け、ＣＤ−Ｒへの書き込み、記録媒体用インデックスプリント３３の焼き付けはこの順で行われる必要はなく、また、いずれかの処理（例えば、ＣＤ−Ｒへの書き込みと記録媒体用インデックスプリント３３の焼き付け）とを同時に行うこともでき、複数の処理を同時に行うことにより、作業時間を短縮することができる。
【００５１】
【発明の効果】
以上説明したように、本発明の画像記録装置及びインデックスプリントの作成方法並びに該方法で作成されたインデックスプリントによれば下記記載の効果を奏する。
【００５２】
本発明の第１の効果は、一連の簡単な操作で、写真用インデックスや記録媒体用インデックス等の形態の異なる複数のインデックスプリントを作成することができ、処理作成時の省力化を図ることができるということである。
【００５３】
その理由は、画像記録装置で表示される画面で複数のインデックスプリントの作成条件を設定することができ、設定された条件に従って一括して複数のインデックスプリントが作成されるからである。
【００５４】
また、本発明の第２の効果は、インデックスプリント自体の利用価値を高めることができるということである。
【００５５】
その理由は、画像記録装置に付加情報作成手段を設け、各々のインデックスプリントのサムネイル画像に、複数のインデックスプリントで統一された付加情報が記録されるからである。また、インデックスプリント作成に際して、予め設けられた画面で各種作成条件を設定することができるからである。
【００５６】
また、本発明の第３の効果は、再度写真プリントを作成する場合などでも、誤りのない処理が可能となるということである。
【００５７】
その理由は、インデックスプリントに写真プリントに印画された画像や画像記録媒体に記録した画像と一致した画像データを用いてインデックスプリントを作成しているため、それらの対応関係を明確にすることができるからである。
【図面の簡単な説明】
【図１】本発明の一実施例に係る画像記録装置の外観図である。
【図２】本発明の一実施例に係る画像記録装置の機能を示すブロック図である。
【図３】本発明の一実施例に係る画像記録装置のインデックスプリント作成に関連する手段を示すブロック図である。
【図４】本発明の一実施例に係るインデックスプリントの作成手順を示すフローチャート図である。
【図５】本発明の一実施例に係るインデックスプリントの作成手順を示すフローチャート図である。
【図６】本発明の一実施例に係る画像記録装置で表示される画面（ホーム画面）の構成例を示す図である。
【図７】本発明の一実施例に係る画像記録装置で表示される画面（インデックス設定画面）の構成例を示す図である。
【図８】本発明の一実施例に係る画像記録装置で表示される画面（第１ポップアップメニュー画面）の構成例を示す図である。
【図９】本発明の一実施例に係る画像記録装置で表示される画面（第２ポップアップメニュー画面）の他の構成例を示す図である。
【図１０】本発明の一実施例に係る画像記録装置で表示される画面（第２ポップアップメニュー画面）の他の構成例を示す図である。
【図１１】本発明の一実施例に係る画像記録装置で表示される画面（画像記録条件設定画面）の構成例を示す図である。
【図１２】本発明の一実施例に係る写真用インデックスプリントの構成を示す図である。
【図１３】本発明の一実施例に係る記録媒体用インデックスプリントの構成を示す図である。
【図１４】本発明の一実施例に係る写真用インデックスプリントの他の構成を示す図である。
【図１５】本発明の一実施例に係る写真用インデックスプリントの他の構成を示す図である。
【符号の説明】
１  画像記録装置
２  画像記録部
３  プリント作成部
４  フィルムスキャナ部
５  反射原稿入力装置
６  画像読込部
７  制御部
８  表示部
９  操作部
１０  画像書込部
１１  記憶部
１２  制御部
１３  露光処理部
１４  プリント作成部
１５  マガジン装填部
１６  写真フィルム
１７  写真プリント
１８  入力用画像記録媒体
１９  デジタルカメラ
２０  出力用画像記録媒体
２１  写真プリント
２２  インデックスプリント
２３  表示画面作成手段
２４  付加情報作成手段
２５  第１インデックスプリント作成手段
２６  第２インデックスプリント作成手段
２７  インデックス設定画面
２８  ホーム画面
２８ａ  露光／プリント条件設定欄
２８ｂ  プリント状況表示欄
２８ｃ  詳細設定欄
２８ｄ  プリント作成装置操作手段
２９  第１ポップアップ画面
３０  第２ポップアップ画面
３１  画像記録条件設定欄
３２  写真用インデックスプリント
３２ａ  サムネイル画像
３２ｂ  付加情報
３２ｃ  インデックス識別情報
３２ｄ  日付情報
３２ｅ  写真フィルム格納部
３２ｆ  関連付け情報
３３  記録媒体用インデックスプリント
３３ａ  サムネイル画像
３３ｂ  付加情報
３３ｃ  インデックス識別情報
３３ｄ  日付情報
【図１】
2004312293.tif 000003
【図２】
2004312293.tif 000004
【図３】
2004312293.tif 000005
【図４】
2004312293.tif 000006
【図５】
2004312293.tif 000007
【図６】
2004312293.tif 000008
【図７】
2004312293.tif 000009
【図８】
2004312293.tif 000010
【図９】
2004312293.tif 000011
【図１０】
2004312293.tif 000012
【図１１】
2004312293.tif 000013
【図１２】
2004312293.tif 000014
【図１３】
2004312293.tif 000015
【図１４】
2004312293.tif 000016
【図１５】
2004312293.tif 000017